(57)【要約】【課題】検査ラインの稼働中に装置の不具合を直ちに検出することができる新規な穴検出装置の提供。【解決手段】検査ラインを走行する被検査材Ｓの片側に位置する照明部と、当該被検査材を挟んで前記照明部１０の反対側に位置する受光部２０と、この受光部２０からの出力信号に基づいて前記被検査材Ｓの穴を検出する穴検出部３０とを有する穴検出装置１００であって、前記被検査材Ｓの走行中に前記受光部２０または穴検出部３０の動作および性能を検査する検査手段５０を備える。これによって、検査ラインの稼働中にこれら各部の不具合を直ちに検出することが可能となるため、被検査材Ｓの再検査を回避あるいは殆ど皆無にすることができる。【選択図】    図１
2009103615.tif 000002
【特許請求の範囲】
【請求項１】
検査ラインを走行する被検査材の片側に位置する照明部と、当該被検査材を挟んで前記照明部の反対側に位置する受光部と、当該受光部の受光信号に基づいて前記被検査材の穴を検出する穴検出部とを有する穴検出装置であって、
前記被検査材の走行中に前記受光部または穴検出部を含む各部の動作および性能を検査する検査手段を備えたことを特徴とする穴検出装置。
【請求項２】
請求項１に記載の穴検出装置において、
前記検査手段は、
検査用の模擬光を発生する模擬光発生部と、
当該模擬光発生部からの模擬光を前記受光部に反射する光反射部材と、
前記受光部に反射された模擬光の検出に基づいて前記受光部または穴検出部を含む各部の動作および性能を検査する動作検査部とを有することを特徴とする穴検出装置。
【請求項３】
請求項２に記載の穴検出装置において、
前記光反射部材は、前記受光部と被検査材間であって前記照明部と受光部間の光路上に移動可能なミラーであることを特徴とする穴検出装置。
【請求項４】
請求項２に記載の穴検出装置において、
前記光反射部材は、前記受光部と被検査材間であって前記照明部と受光部間の光路上に位置するハーフミラーであることを特徴とする穴検出装置。
【請求項５】
請求項２〜４のいずれか１項に記載の穴検出装置において、
前記模擬光発生部は、前記被検査材の幅方向に沿って複数の模擬穴が形成された模擬検査材と、当該模擬検査材の各模擬穴からそれぞれ検査用の模擬光を照射する模擬照明部とを有することを特徴とする穴検出装置。
【請求項６】
請求項２〜５のいずれか１項に記載の穴検出装置において、
前記模擬光発生部は、前記光反射部材に対して、当該光反射部材と被検査材との距離とほぼ等しい距離の位置に設けられていることを特徴とする穴検出装置。
【発明の詳細な説明】
【技術分野】
【０００１】
本発明は、例えば製鉄所における圧延処理後の帯状鋼板や製紙工場など製造される紙やフィルムなどの欠陥を連続的に検査するための検査装置に係り、特にその鋼板や紙などの表面に発生した穴の有無を検出するための穴検出装置に関するものである。
【背景技術】
【０００２】
係る従来の穴検出装置としては、検査ライン上を連続的に走行する鋼板や紙などの被検査材の裏面側に蛍光灯などの照明を設けると共に、その被検査材の表面側であってその被検査材の幅方向に複数台のラインセンサカメラを設け、その走行中の被検査材の表面から漏れる光（透過光）の有無をラインセンサカメラによって検出することでその被検査材の穴を検出している。
【０００３】
また、以下の特許文献１には、照明とＣＣＤカメラとの間に検査対象の鋼板が配置された状態でこの鋼板とＣＣＤカメラとの間に光を透過拡散させるスクリーンを配置した穴検出装置が開示されている。そして、このスクリーンを配置することによって、鋼板の貫通穴を通過した照明からの照明光をＣＣＤカメラに近い位置にある貫通穴を通過したものであっても、ＣＣＤカメラから遠い位置になる貫通穴を通過したものであってもそのスクリーンでの透過拡散により必ずＣＣＤカメラに入射させるようにすることで鋼板の貫通穴を確実に検出するようにしている。
【特許文献１】特開２００１−２４９００５号公報
【発明の開示】
【発明が解決しようとする課題】
【０００４】
ところで、これら従来の穴検出装置のうち、製鉄所における圧延工場などのように２４時間連続で製造している製造ラインおよび検査ラインで使用する装置の場合、ラインセンサカメラ（またはＣＣＤカメラ）や、そのラインセンサカメラの出力信号に基づいて穴の有無を判断する機器などが正常に作動しているか、または本来見つけたいレベルの穴が検出できる性能が維持できているかなどといった検査装置自体の動作確認をその検査ラインの稼働中に確認することは極めて困難である。
【０００５】
このため、工場の定期検査・修理などで製造ラインおよび検査ラインが一時的に停止するタイミングなどを利用してその検査装置の各部が正常に動作しているか否かの確認検査を行うようにしている。具体的には、蛍光灯などの照明とラインセンサカメラをライン上から引き出して被検査材がない状態で穴の空いた回転円板などを用いて検査したり、また、これら照明やラインセンサカメラが固定されている場合には、その被検査材を一端抜き取り、その照明とラインセンサカメラ間の被検査材の位置に回転円板などを置いてその動作確認や性能確認を行うことになる。
【０００６】
しかしながら、このように検査ラインが一時的に停止するタイミングなどを利用して検査装置の検証を行う方法では、この時点で検査装置の不具合が判明した場合には、前回の装置の検査後に実施した被検査材全てについて再検査が必要となり、極めて不経済な事態を招く結果となる。
そこで、本発明はこのような課題を有効に解決するために案出されたものであり、その目的は、検査ラインの稼働中に装置の不具合を直ちに検出することができる新規な穴検出装置を提供するものである。
【課題を解決するための手段】
【０００７】
前記課題を解決するために請求項１の発明は、
検査ラインを走行する被検査材の片側に位置する照明部と、当該被検査材を挟んで前記照明部の反対側に位置する受光部と、当該受光部の受光信号に基づいて前記被検査材の穴を検出する穴検出部とを有する穴検出装置であって、前記被検査材の走行中に前記受光部または穴検出部を含む各部の動作および性能を検査する検査手段を備えたことを特徴とする穴検出装置である。
また、請求項２の発明は、
請求項１に記載の穴検出装置において、前記検査手段は、検査用の模擬光を発生する模擬光発生部と、当該模擬光発生部からの模擬光を前記受光部に反射する光反射部材と、前記受光部に反射された模擬光の検出に基づいて前記受光部または穴検出部を含む各部の動作および性能を検査する動作検査部とを有することを特徴とする穴検出装置である。
【０００８】
また、請求項３の発明は、
請求項２に記載の穴検出装置において、前記光反射部材は、前記受光部と被検査材間であって前記照明部と受光部間の光路上に移動可能なミラーであることを特徴とする穴検出装置である。
また、請求項４の発明は、
請求項２に記載の穴検出装置において、前記光反射部材は、前記受光部と被検査材間であって前記照明部と受光部間の光路上に位置するハーフミラーであることを特徴とする穴検出装置である。
【０００９】
また、請求項５の発明は、
請求項２〜４のいずれか１項に記載の穴検出装置において、前記模擬光発生部は、前記被検査材の幅方向に沿って複数の模擬穴が形成された模擬検査材と、当該模擬検査材の各模擬穴からそれぞれ検査用の模擬光を照射する模擬照明部とを有することを特徴とする穴検出装置である。
また、請求項６の発明は、
請求項２〜５のいずれか１項に記載の穴検出装置において、前記模擬光発生部は、前記光反射部材に対して、当該光反射部材と被検査材との距離とほぼ等しい距離の位置に設けられていることを特徴とする穴検出装置である。
【発明の効果】
【００１０】
請求項１の発明によれば、被検査材の走行中に受光部または穴検出部の動作および性能を検査する検査手段を備えたことから、検査ラインの稼働中にこれらの不具合が発生した場合は直ちにその不都合を検出することができる。これによって、被検査材の再検査を回避あるいは殆ど皆無にすることができる。
また、請求項２の発明によれば、前記検査手段は、模擬光発生部と光反射部材と動作検査部とを有することから、検査ラインの稼働中に模擬光発生部から検査用の模擬光を発生し、この模擬光を光反射部材が直接受光部に反射する。そして、動作検査部がその受光部および穴検出部で模擬光が正確に検出されたか否かを検出する。これによって、検査ラインの稼働中であっても受光部および穴検出部の動作および性能を検査することができる。
【００１１】
また、請求項３の発明によれば、光反射部材は、受光部と被検査材間であって照明部と受光部間の光路上に移動可能なミラーであることから、検査手段による検査のときのみそのミラーを受光部と被検査材間であって照明部と受光部間の光線上に移動させて模擬光を受光部に反射させるようにすれば、照明部と受光部とによる通常の穴検出作業を殆ど中断することなく、その受光部または穴検出部の動作および性能を検査することができる。
【００１２】
また、請求項４の発明によれば、光反射部材は、受光部と被検査材間であって前記照明部と受光部間の光路上に位置するハーフミラーであることから、模擬光はそのまま受光部側に反射させると同時に、照明部からの光はそのまま透過することから、請求項３のように検査の都度、光反射部材を移動させる必要がなくなる。また、この模擬光をパルス状に瞬間的に照射したりすれば、通常の穴検出作業を殆ど中断することなく、その受光部または穴検出部の動作および性能を検査することができる。
【００１３】
また、請求項５の発明によれば、模擬光発生部は、被検査材の幅方向に複数の模擬穴が形成された模擬検査材と、この模擬検査材の各模擬穴からそれぞれ検査用の模擬光を照射する模擬照明部とを有することから、被検査材からの透過光に極めて近似した検査用の模擬光を発生することが可能となる。これによって、受光部または穴検出部の動作および性能の検査精度が向上し、より正確にその状態を把握することができる。
また、請求項６の発明によれば、模擬光発生部は、光反射部材に対して、その光反射部材と被検査材との距離とほぼ等しい距離の位置に設けられていることから、例えば受光部を構成する受光カメラのレンズのズレやピントのボケなどによる性能劣化もより正確にその状態を把握することができる。
【発明を実施するための最良の形態】
【００１４】
以下、本発明を実施するための最良の形態を添付図面を参照しながら詳述する。
（構成）
図１は、本発明に係る穴検出装置１００の実施の一形態を示したものである。
図示するように、この穴検出装置１００は、検査ラインを連続的に走行する帯状の鋼板や紙などの被検査材Ｓの片側に位置する照明部１０と、この被検査材Ｓを挟んでこの照明部１０の反対側に位置する受光部２０と、この受光部２０の出力信号に基づいて被検査材Ｓに発生した穴Ｈ−１の有無を検出する穴検出部３０と、この穴検出部３０の検出結果を表示する穴検出表示器４０と、前記受光部２０または穴検出部３０の動作および性能を検査する検査手段５０とから主に構成されている。
【００１５】
ここで、検査手段５０を除く他の構成は、従来の穴検出装置のそれと同じものから構成されている。
すなわち、先ず照明部１０は、例えば被検査材Ｓの幅方向に延びる直管状の蛍光灯やＬＥＤ照明あるいは光ファイバ照明などから構成されており、検査中は常時点灯して所定光量の検査光Ｂ−１を被検査材Ｓの片面の幅方向全体に照射するようになっている。
また、受光部２０は、例えばＣＣＤカメラやＣＭＯＳカメラなどの受光カメラＣを被検査材Ｓの幅方向に沿って複数台（Ｎ台）配置したラインセンサカメラから構成されており、個々の受光カメラＣによって検査ラインを走行する被検査材Ｓの表面を、その幅方向に一定領域ごとに分担撮影してその個々の画像信号を穴検出部３０に出力するようになっている。
【００１６】
また、穴検出部３０は、画像処理機能を有する情報処理装置などから構成されており、例えば受光部２０から出力される画像信号に基づいてその被検査材Ｓの穴Ｈ−１の有無やその位置、大きさなどを検出できるようになっている。なお、この穴検出部３０における被検査材Ｓの穴Ｈ−１の検出方法としては、特に限定されるものではないが、例えばその被検査材Ｓに穴Ｈ−１が存在した場合には、その穴Ｈ−１から検査光Ｂ−１が漏れる（透過光）ことにより、その部分の輝度が他の部分に比べて極端に高くなるため、その輝度情報に基づいてその穴Ｈ−１の位置や大きさなどを検出することができる。
【００１７】
また、穴検出表示器４０は、液晶モニターやスピーカなどから構成されており、穴検出部３０での検出結果を画像や音声などによって検査員などに知らせることができるようになっている。
そして、本発明装置１００の特徴部分である検査手段５０は、図１に示すようにさらに検査用の模擬光Ｂ−２を発生する模擬光発生部５１と、この模擬光発生部５１からの模擬光Ｂ−２を受光部２０に反射する光反射部材５２と、この光反射部材５２によって受光部２０に反射された模擬光Ｂ−２の検出信号に基づいてその受光部２０または穴検出部３０の動作および性能を検査する動作検査部５３とから構成されており、検査ラインの稼働中にその受光部２０や穴検出部３０の動作および性能を検査し、これらに不具合が発生した場合は直ちにその旨が検査員によって把握できるようになっている。
【００１８】
先ず、この模擬光発生部５１は、図２に示すように被検査材Ｓの幅方向に沿って複数の模擬穴Ｈ−２が形成された模擬検査材５１ａと、図１に示すようにこの模擬検査材５１ａの各模擬穴Ｈ−２からそれぞれ検査用の模擬光Ｂ−２を発生させる模擬照明部５１ｂと、この模擬照明部５１ｂを制御する模擬光制御部５１ｃとから構成されており、後述するように所定のタイミングで模擬検査材５１ａの各模擬穴Ｈ−２のいずれか１つあるいは複数からそれぞれ検査用の模擬光Ｂ−２をパルス状に発生できるようになっている。
【００１９】
なお、この模擬検査材５１ａの各模擬穴Ｈ−２の穴の大きさ（穴径）は、被検査材Ｓで検出される穴Ｈ−１の平均的な大きさとなっている。また、模擬照明部５１ｂは、模擬光制御部５１ｃからの模擬照明点灯信号を受けて個々に点灯可能に制御されるようになっており、前述した照明部１０で発生する検査光Ｂ−１とほぼ同じ光量、波長の模擬光Ｂ−２を発生可能なＬＥＤや光ファイバ照明などから構成されている。
【００２０】
光反射部材５２は、例えば短冊形状の透明な板ガラスの表面に錫や銀などの金属被膜をめっきないし蒸着させて半透明にした、いわゆるハーフミラーと称される材料から構成されている。そして、図１に示すように検査光Ｂ−１の光路上であって受光部２０と被検査材Ｓとの間に、その被検査材Ｓに対して約４５°の角度で配置されることで、図２および図３に示すように模擬検査材５１ａ表面から透過した全ての検査光Ｂ−１は、その殆どをそのまま受光部２０側に透過させると共に、模擬光発生部５１から発生する模擬光Ｂ−２は、そのまま受光部２０側に反射させるようになっている。なお、図１では、模擬光発生部５１からの模擬光を被検査材Ｓの走行方向に平行に照射しているため、この光反射部材５２（ハーフミラー）を被検査材Ｓに対して約４５°の角度で配置しているが、この光反射部材５２の設置角度や位置はこれに限定されるものでなく、模擬光発生部５１からの模擬光の照射位置や照射角度、あるいは受光部２０の受光位置や受光角度などに応じて適宜最適な角度や位置に設置させることは勿論である。
【００２１】
模擬光制御部５１ｃは、この模擬照明部５１ｂの点灯を制御するものであり、検査員の手動によってあるいは自動的に模擬照明部５１ｂを制御して模擬検査材５１ａの模擬穴Ｈ−２からの模擬光Ｂ−２の発生やその時間、点灯タイミングなどを細かく制御できるようになっている。
動作検査部５３は、この模擬光制御部５１ｃや穴検出部３０などと連動しており、後述するように模擬光Ｂ−２が照射されたときに、これを受光部２０や穴検出部３０が正確に検出できたか否かを検出することで受光部２０や穴検出部３０が正確に動作・機能しているかを判断し、その判断結果を適宜穴検出表示器４０などに出力するようになっている。
【００２２】
（作用）
次に、このような構成をした本発明の穴検出装置１００の作用を説明する。
検査ラインを連続的に走行する被検査材Ｓの穴の検査方法に関しては、先ず、その周囲の照明を落とすと共に照明部１０の蛍光灯を点灯して検査光Ｂ−１を被検査材Ｓの片面側に照射した状態で受光部２０の各受光カメラＣが一定領域ごとにその被検査材Ｓの表面を分担して連続的に撮影する。
そして、図２に示すようにこの被検査材Ｓの表面に穴Ｈ−１が存在していると、その検査光Ｂ−１の一部がその穴Ｈ−１を通過して光反射部材５２に至り、さらにこの光反射部材５２を通過（透過）して受光部２０に至ることになる。
【００２３】
これによって、その受光部２０の受光カメラＣおよび穴検出部３０が正常に動作している場合には、その被検査材Ｓの表面に穴Ｈ−１が存在していることが正確に検出されてその旨が穴検出表示器４０に表示されるようになるため、検査員はその旨を把握することができる。
しかしながら、この受光部２０の受光カメラＣおよび穴検出部３０のいずれかに不具合が生じて正常に動作していない場合には、その検査光Ｂ−１が受光部２０に到達していても、その被検査材Ｓの表面に穴Ｈ−１が存在していることが検出されないため、穴検出表示器４０には何ら表示されず、検査ラインの稼働中に検査員はその旨を把握することができない。
【００２４】
これに対し、本発明の穴検出装置１００は、前述したような構成をした検査手段５０を備えたことから、このような検査ラインの稼働中において例えば図３に示すように、一定あるいは所定のタイミングで模擬光発生部５１から模擬光Ｂ−２をパルス状に照射することによって検査ラインの稼働中にこの受光部２０の受光カメラＣおよび穴検出部３０の全てが正常に動作しているか否かを確認することが可能となる。
【００２５】
以下、この検査手段５０による受光部２０および穴検出部３０の動作確認に関する検査方法の一例を主に図４および図５を参照しながら説明する。
ここで、図４はこの検査手段５０による動作確認検査処理の流れの一例を示したフローチャート図であり、受光部２０を構成する複数台（Ｎ台）の受光カメラＣを端から１台ずつ検査するようにしたものである。また、図５は模擬光Ｂ−２の点灯タイミングと各部の信号処理とのタイミングを示したタイムチャート図である。
【００２６】
先ず、図４のフローチャートの最初のステップＳ１００では、検査対象となる受光部２０を構成するＮ台の受光カメラＣのうち、最初の検査対象となる受光カメラＣ（Ｎ＝１）を特定してから次のステップＳ１０２に移行する。
ステップＳ１０２では、その検査対象となる受光カメラＣが最後の受光カメラであるか否かを判断するが、この時点では、この検査対象となる最初の受光カメラ（Ｎ＝１）については、最後の検査対象となる受光カメラでない（ＹＥＳ）ことから、そのまま次のステップＳ１０４に移行する。
【００２７】
ステップＳ１０４では、前述した検査手段５０の動作検査部５３を制御して模擬光発生部５１の模擬光制御部５１ｃから模擬照明部５１ｂに対して模擬照明点灯信号を出力し、次のステップＳ１０６においてその模擬照明点灯信号を受信した模擬照明部５１ｂが該当するＮ番目の模擬穴Ｈ−２の模擬照明を点灯する。
これによって、模擬検査材５１ａのＮ番目の模擬穴Ｈ−２から模擬光Ｂ−２が発生し、これが光反射部材（ハーフミラー）５２で受光部２０側に反射されてその検査対象となる受光カメラＣで受光されることになる。なお、この模擬光Ｂ−２は、検査対象となる受光カメラＣの視野範囲にあればその発生させる位置は、特に限定されるものではないが、例えば受光カメラＣの撮影範囲の中央およびその端にあるものを別々に用いることで、視野の中央およびその端それぞれの穴検出能を確認することができる。
【００２８】
次のステップＳ１０８では、この検査手段５０の動作検査部５３が穴検出部３０からの信号の有無を判断して、その検査対象となるＮ番目の受光カメラＣからの穴検出信号があったか否かを判断する。
そして、検査対象となるＮ番目の受光カメラＣからの穴検出信号があり、それが模擬光Ｂ−２の全てと一致したと判断したとき（ＹＥＳ）は、ステップＳ１１０に移行してその受光カメラＣが正常に稼働しているものとみなして正常である旨の信号を穴検出表示器４０に出力してから次のステップＳ１１４に移行する。
【００２９】
これによって検査員は、検査ラインの稼働中に最初の動作確認検査対象となる受光カメラＣおよびその信号を処理する穴検出部３０などが正常に動作しているか否かの確認を行うことができる。
一方、ステップＳ１０８の判断において、検査対象となる受光カメラＣからの穴検出信号がないとき、および穴検出信号があった場合でもそれが模擬光Ｂ−２と一致していないと判断したとき（ＮＯ）は、ステップＳ１１２に移行してその検査対象となる受光カメラＣが正常に稼働していないものとみなして異常出力を穴検出表示器４０に出力してから次のステップＳ１１４に移行する。
これによって検査員は、検査ラインの稼働中に動作確認検査対象となる受光カメラＣが正常に動作していないことの確認を行うことができる。
【００３０】
すなわち、図５に示すように動作確認検査対象の受光カメラＣが正常に動作している場合には、Ｎ番目の模擬光を点灯して検査用の模擬光Ｂ−２を瞬間的にパルス状に発光すると、この模擬光Ｂ−２を検出したその受光カメラＣおよび穴検出部３０から検出信号が出力され、その検出信号を受信した動作検査部５３がその受光カメラＣが正常に動作している旨の信号を穴検出表示器４０に出力することになる。また、この動作確認時には、その検査対象のＮ番目の受光カメラＣからの穴検出信号出力をマスクして模擬光Ｂ−２と検査光Ｂ−１との混同を防止しておく。そして、この動作確認直後は、その検査対象のＮ番目の受光カメラＣからの穴検出信号出力のマスクを外して引き続き検査光Ｂ−１の有無を監視し、その検査光Ｂ−１による通常の穴検出信号が検出されたならば、穴検出信号を出力することになる。
【００３１】
その後、ステップＳ１１４では、次の動作確認の検査対象となる受光カメラＣを特定（Ｎ＝Ｎ＋１）してからステップＳ１０２に戻り、以後同様な処理を繰り返すことによって全ての受光カメラＣを順に検査してその動作の確認検査を行うことになる。
そして、このステップＳ１０２において全ての受光カメラＣの動作確認の検査が終了した（ＮＯ）と判断したならば、ステップＳ１０３側に移行してその受光カメラＣの全てが正常であるか否かを判断し、全て正常であると判断した（ＹＥＳ）ならば、穴検出表示器４０に正常である旨を出力するが、一部でも正常でない受光カメラＣがあると判断した（ＮＯ）ならば、同じく穴検出表示器４０にその旨を出力することで、動作確認検査が終了する。なお、この動作確認検査によって不具合が発見させたときは、直ちに検査ラインを停止してその不具合箇所を修理・交換したり、あるいは予備の穴検査装置を用いて被検査材Ｓの検査を続行するなどの的確な対応を迅速に採ることができる。
【００３２】
このように本発明の穴検出装置１００は、通常の穴検出機能に加え、その受光部２０の受光カメラＣまたは穴検出部３０の動作および性能を検査する検査手段５０を備えたことから、検査ラインの稼働中にこれらに不具合が発生した場合は直ちにその不都合を検出することができる。
これによって、前回検査時以降に検査した被検査材Ｓを再検査するなどといった極めて非効率な作業を回避あるいは殆ど皆無にすることができる。
【００３３】
なお、本実施の形態では、模擬光Ｂ−２を反射する光反射部材５２としてハーフミラーを用い、これを検査光Ｂ−１の光路上に常設した例で説明したが、このハーフミラーの代わりに通常のミラー（鏡）を用いても良い。そして、このように通常のミラーを用いる場合には、これをその検査光Ｂ−１の光路近傍に設置しておき、装置の動作確認検査時にそのミラーを所定の工具や駆動装置などを用いてその検査光Ｂ−１の光路上の所定の位置に移動させて模擬光Ｂ−２を受光部２０側に反射させることになる。そして、このように通常のミラーを用いる場合には、その動作確認検査中には検査光Ｂ−１が遮られることになるため、図５に示すような穴検出信号出力のマスク処理などを省略することができる。
【００３４】
また、この検査手段５０の模擬光発生部５１は、その模擬光Ｂ−２を光反射部材５２を介して受光部２０側に照射できる位置であれば特に限定されるものではないが、図１に示すようにその光反射部材５２と被検査材Ｓとの距離ａとほぼ等しい距離ｂの位置に設けるようにすれば、その模擬光Ｂ−２の光量などを被検査材Ｓを透過する検査光Ｂ−１と近似させることができる。
これによって、例えば模擬検査材５１ａの模擬穴Ｈ−２のサイズを検出限界にすることで、受光部２０を構成する受光カメラＣのレンズのズレやピントのボケなどによる性能劣化もより正確にその状態を把握できるため、その受光部２０または穴検出部３０の動作および性能の検査精度が向上し、より正確にその状態を把握することができる。
【００３５】
また、受光部２０の動作確認としては、図４のフローのように個々の受光カメラＣごとに実施しても良いが、短時間で無検査領域を極力なくすためには、受光カメラＣの台数分の複数の模擬照明を同時に点灯させて評価するようにしても良い。
また、このような動作確認のタイミングとしては、例えば薄鋼板の連続製造ラインであれば、製品としては切り落として使用しない部分である薄鋼板の継ぎ目の溶接部分に近い部分で実施すれば、製品のコイル単位での動作確認が可能となると共に、製品部分での無検査部分がなくなり、装置不良による検査抜けをなくすことが可能となる。
【図面の簡単な説明】
【００３６】
【図１】本発明に係る穴検査装置１００の実施の一形態を示す構成図である。
【図２】被検査材Ｓの穴Ｈ−１を通過した検査光Ｂ−１が受光部２０で受光された状態を示す斜視図である。
【図３】光発生部５１から模擬光Ｂ−２を発生させてこれを光反射部材５２で受光部２０側に反射させた状態を示す斜視図である。
【図４】検査手段５０による動作確認検査の流れの一例を示したフローチャート図である。
【図５】模擬光Ｂ−２の点灯タイミングと各部の信号処理との関係などを示したタイムチャート図である。
【符号の説明】
【００３７】
１００…穴検出装置
１０…照明部
２０…受光部
３０…穴検出部
４０…穴検出表示器
５０…検査手段
５１…模擬光発生部
５１ａ…模擬検査材
５１ｂ…模擬照明部
５１ｃ…模擬光制御部
５２…光反射部材
５３…動作検査部
Ｂ−１…検査光
Ｂ−２…模擬光
Ｃ…受光カメラ
Ｈ−１…穴
Ｈ−２…模擬穴
Ｓ…被検査材
【図１】
2009103615.tif 000003
【図２】
2009103615.tif 000004
【図３】
2009103615.tif 000005
【図４】
2009103615.tif 000006
【図５】
2009103615.tif 000007